(57)【特許請求の範囲】
【請求項１】
自動車等の被搭載体の組み立てラインで被搭載体に機器、部品を搭載する搭載作業中に、被搭載体に搭載した車載ディスプレイ装置の前面のディスプレイパネルに作用する機械的外力から、ディスプレイパネルを保護するために、車載ディスプレイ装置の前面に装着する保護カバーであって、
保護カバーが、フレーム状の補強骨組を表面に有する保護パネルと、
それぞれ、保護パネルの裏面に設けられ、ディスプレイパネルに対して保護カバーを位置決めする位置決め手段と、ディスプレイパネルに接着して保護カバーを固定する接着手段と、及び、クッション部材を接触面に有して、クッション部材の緩衝作用の下でディスプレイパネルと接触面で接触する接触手段と
を備えていることを特徴とする車載ディスプレイ装置用の保護カバー。
【請求項２】
接着手段が、ディスプレイパネル上の装備保護フィルムに順次接着積層された両面テープ及びマジックテープ（登録商標、以下同じ））の対の一方と、保護パネルの裏面に順次接着積層された両面テープ及びマジックテープの対の他方とから構成されていることを特徴とする請求項１に記載の車載ディスプレイ装置用の保護カバー。
【請求項３】
位置決め手段が、車載ディスプレイ装置の前面ディスプレイパネルの周囲に設けられた装備孔部と、装備孔部に嵌合するように保護パネルに設けられた位置決め突起片との組み合わせであることを特徴とする請求項１に記載の車載ディスプレイ装置用の保護カバー。
【請求項４】
保護パネルは、車載ディスプレイ装置の前面に設けられた装備突起部を避けるように開口又は切り欠きを備えていることを特徴とする請求項１から３のうちのいずれか１項に記載の車載ディスプレイ装置用の保護カバー。
【発明の詳細な説明】
【０００１】
【発明の属する技術分野】
本発明は、自動車等の被搭載体の組み立てラインで被搭載体に部品を搭載する搭載作業中に、被搭載体に搭載した車載ディスプレイ装置の前面のディスプレイパネルに作用する機械的外力から、ディスプレイパネルを保護するために、車載ディスプレイ装置の前面に装着する保護カバーに関し、更に詳細には、取り付けが簡単で、しかも曲率半径の異なる曲面を有する種々のディスプレイパネルにも適用可能な保護カバーに関するものである。
【０００２】
【従来の技術】
自動車に搭載されているディスプレイパネル付き装置、例えば、ナビゲータ装置、表示画面付きオーディオ装置、テレビ受像機等の種々のＡ／Ｖ装置（以下、簡単に車載ディスプレイ装置と言う）は、Ａ／Ｖ装置メーカで製品化した車載用のディスプレイ装置を自動車工場に搬入し、自動車工場の最終組み立てラインで自動車に組み込まれている。
【０００３】
車載ディスプレイ装置の例として、ここで、図５〜図７を参照して、欧州向け自動車に搭載するラジオ／ＣＤ／ＭＤ装置兼用の車載ナビゲータ装置の取り付け方法を説明する。図５は車載ナビゲータ装置の前面装備を示す前面図、図６は上側装備を示す部分上面図、及び、図７は側面装備を示す側面図である。
図５に示すように、車載ナビゲータ装置１０は、前面に、ＴＶ画面、ナビゲータ用地図等を表示するために設けられた液晶ディスプレイパネルからなるディスプレイパネル１２と、ディスプレイパネル１２の周囲にそれぞれ配置された、選択ボタン１４、マークボタン１６等の各種操作ボタンと、ＦＭ多重放送の周波数表示計１８等の各種表示計と、音量つまみ２０、決定つまみ２２等のディスプレイパネルよりは前方に突出している各種操作つまみを備えている。
【０００４】
車載ナビゲータ装置１０は、自動車の前面パネルに設けられた所定の凹部（図示せず）内に収容、取り付けられる。そこで、車載ナビゲータ装置１０は、車載ナビゲータ装置１０を所定凹部に取り付ける取り付け用固定具として、図６及び図７に示すように、外方に突起する取り付け突起片２４を左右両側壁の上部及び下部に備えている。
取り付け突起片２４は、取り付け突起片２４を外方に付勢するバネ（図示せず）を有し、自動車の前面パネルに設けられた凹部壁に沿って車載ナビゲータ装置１０を凹部に押し込むと、取り付け突起片２４がバネにより付勢されて、凹部の壁に設けられている係合溝に進入し、突起片２４と係合溝との係合により、車載ナビゲータ装置１０を凹部に固定する。車載ナビゲータ装置１０を凹部に押し込む際には、取り付け突起片２４は、凹部壁より押圧されて車載ナビゲータ装置１０の側壁内に後退するので、邪魔にならず、取り付け突起片２４が係合溝に入ると、バネ付勢により側壁から突出して溝内に進入して車載ナビゲータ装置１０を固定する。
車載ナビゲータ装置１０の前面の４隅には、それぞれ、取り付けバネ解除穴２６が、突起片２４に対応して設けてある。取り付けバネ解除穴２６は、凹部内に収容した車載ナビゲータ装置１０を凹部から引き出す時に、この取り付けバネ解除穴２６に例えばドライバーの歯等を差し込んでバネ付勢を排除して、突起片２４と溝との係合を解除し、次いで車載ナビゲータ装置１０を凹部から引き出すようになっている。
【０００５】
【発明が解決しようとする課題】
車載ディスプレイ装置は、自動車の最終組み立てラインで、車載ディスプレイ装置の取り扱いに注意しつつ自動車に搭載されているものの、ＬＣＤ（液晶ディスプレイ）等のディスプレイパネルは破損し易く、しかも車載ディスプレイ装置以外の装着品を次々に自動車前面パネルに取り付けて行くので、誤って車載ディスプレイ装置のディスプレイパネルを破壊するおそれが多い。
特に、欧州向け自動車に車載ディスプレイ装置を取り付ける際には、上述したように、車載ディスプレイ装置を自動車前面パネルの前方から凹部に押し込んで、取付けバネを変位させて取付けているので、一層、ディスプレイパネルに損傷を与え易い。
以上のことから、車載ディスプレイ装置の搭載の際、必要以上の注意を払って搭載作業を行う結果、最終組み立てラインでの組み立て作業の生産性を向上することが難しいという問題があった。
【０００６】
そこで、本発明の目的は、自動車等の被搭載体に車載ディスプレイ装置等の機器を組み立て中、車載ディスプレイ装置の前面ディスプレイパネルを保護する保護カバーを提供することである。
【０００７】
【課題を解決するための手段】
上記目的を達成するために、本発明に係る車載ディスプレイ装置用の保護カバーは、自動車等の被搭載体の組み立てラインで被搭載体に機器、部品を搭載する搭載作業中に、被搭載体に搭載した車載ディスプレイ装置の前面のディスプレイパネルに作用する機械的外力から、ディスプレイパネルを保護するために、車載ディスプレイ装置の前面に装着する保護カバーであって、
保護カバーが、フレーム状の補強骨組を表面に有する保護パネルと、
それぞれ、保護パネルの裏面に設けられ、ディスプレイパネルに対して保護カバーを位置決めする位置決め手段と、ディスプレイパネルに接着して保護カバーを固定する接着手段と、及び、クッション部材を接触面に有して、クッション部材の緩衝作用の下でディスプレイパネルと接触面で接触する接触手段と
を備えていることを特徴としている。
【０００８】
本明細書で、車載ディスプレイ装置とは、ディスプレイパネルを有しない形式の装置を除き、広く、ディスプレイパネルを前面に備えた機器を意味する概念である。
本発明に係る保護カバーの材料及び形成方法に制約はないが、好適には、プラスチック材の一体成形法により形成する。フレーム状の補強骨組は保護パネルを補強して剛性の大きな一体性の保護カバーにできる限り、その構成に制約はない。通常は、格子状の骨組にする。本保護カバーは、補強骨組を有することより十分な剛性を備えることができるので、機械的な外力から車載ディスプレイ装置のディスプレイパネルを保護することができる。
また、本発明に係る保護カバーは、ディスプレイパネルとの接触部にクッション材を備えているので、ディスプレイパネルに損傷を与えることがなく、更には、クッション材の厚さとその緩衝作用により、曲率半径の異なる種々のディスプレイパネルに対して、所定の決まった保護パネル形状の保護カバーを広く共通の保護カバーとして適用できる。クッション材の材質は、特に制約はなく、例えばスポンジ、ゴム等を使用する。
【０００９】
好適には、接着手段が、ディスプレイパネル上の装備保護フィルムに順次接着積層された両面テープ及びマジックテープ（登録商標、以下同じ））の対の一方と、保護パネルの裏面に順次接着積層された両面テープ及びマジックテープの対の他方とから構成されている。これにより、接触手段が厚さの厚い積層接着テープ層となり、保護パネルとディスプレイパネルとの間の緩衝部材の機能を果たすので、曲率半径の異なる種々のディスプレイパネルに対して、所定の決まった保護パネル形状の保護カバーを適用できる。尚、マジックテープとは、面ファスナ、ベルクロとも称され、接着剤を使用しない態様で、しかも接着、解除自在な一対の機械的接着性を有するテープとして構成され、１対のテープを重ねて押圧することにより容易に接着し、接着した一対のテープのそれぞれを引き離すことにより容易に解離できるテープである。マジックテープは、通常、合成樹脂製で表面が鉤状のものと、輪状のものを一対として使用する。
ここで、装備保護フィルムとは、ディスプレイパネルを保護して、スクラッチ等の傷が付かないようにするために、ディスプレイパネルに既に貼着されている薄膜の保護フィルムである。
【００１０】
好適には、位置決め手段が、車載ディスプレイ装置の前面ディスプレイパネルの周囲に設けられた装備孔部と、装備孔部に嵌合するように保護パネルに設けられた位置決め突起片との組み合わせである。ここで、装備孔部とは、車載ディスプレイ装置の前面に既に設けられている孔部であることを意味する。通常、車載ディスプレイ装置には、前述した取り付けバネ解除穴のように、複数の孔部が設けてある。装備孔部に位置決め突起片を嵌合することにより、保護カバーを車載ディスプレイ装置の前面に容易に位置決めすることができる。
更に、好適には、保護パネルは、車載ディスプレイ装置の前面に設けられた装備突起部を避けるように開口又は切り欠きを備えている。
【００１１】
【発明の実施の形態】
以下に、実施形態例を挙げ、添付図面を参照して、本発明の実施の形態を具体的かつ詳細に説明する。
実施形態例
本実施形態例は、本発明に係る車載ディスプレイ装置用の保護カバーを車載ナビゲータ装置の前面ディスプレイパネルの保護に使用した例であって、図１は車載ナビゲータ装置に取り付けた状態での保護カバーの部分破断前面図、図２は車載ナビゲータ装置に取り付けた状態での保護カバーの上面図、及び、図３は車載ナビゲータ装置に取り付けた状態での保護カバーの側面断面図である。
本実施形態例の保護カバー３０は、自動車等に搭載した車載ナビゲータ装置１０の前面ディスプレイパネル１２を自動車等の組み立て中の機械的外力による損傷から保護する保護カバーであって、プラスチック製の一体成形品である。保護カバー３０は、図１から図３に示すように、フレーム状の補強骨組３２を表面に備え、補強骨組３２により補強された強固な剛体様の保護パネル３４を備えている。
保護パネル３４の裏面には、ディスプレイパネル１２に接着して保護カバー３０を固定する接着手段３６、ディスプレイパネルに対して保護カバー３０を位置決めする位置決め手段３８、及び、クッション部材を端面に有して、クッション部材をの緩衝作用の下でディスプレイパネルと接触する接触手段４０とを備えている。
【００１２】
補強骨組３２は、図３に示すように、保護パネル３４から車載ナビゲータ装置とのは反対に突出するように保護パネル３４と一体形成されたフレーム状の骨組である。
接着手段３６は、図３に示すように、保護パネル３４の裏面中央領域にディスプレイパネル１２に向かってパネル面を突起させる突起部４１と、図４に示すように、突起部４１の突起したパネル面に順次接着積層された両面テープ４２及びマジックテープの対の一方４４と、突起部４１に対向するディスプレイパネル１２上の領域の保護フィルム１２ａに順次接着積層された両面テープ４６、及びマジックテープの対の他方４８とから構成されている。
両面テープ４２、４６は、両面に接着剤層を有するテープであり、マジックテープ４４、４８は、上述したように、対のテープから構成され、対のテープのテープ面を重ねて相互に押圧すると接着し、相互に離間するように引っ張ると解離する機械的接着性を有するテープである。
位置決め手段３８は、車載ナビゲータ装置の前面ディスプレイパネルの周囲に設けられた取り付けバネ解除穴２６と、取り付けバネ解除穴２６に嵌合するように保護パネル３４に設けられた位置決め突起片５０との組み合わせである。
また、保護カバー３０は、車載ナビゲータ装置１０の前面に設けられた音量つまみ２０、決定つまみ２２等の突起部分を避ける切り欠き５２を備えている。
接触手段４０は、図２に示すように、保護パネル３４の骨組３２の周辺部材からディスプレイパネル１２に向かって突出する接触部５４と、接触部５４の端面に取り付けられたスポンジ等のクッション材５６とから構成されている。これにより、輸送中の振動による傷を防止すると同時に、ディスプレイパネルの多少の曲率半径の違いを吸収し、保護カバー３０の共通使用を可能にしている。
【００１３】
本実施形態例の保護カバー３０を使用する際には、自動車に搭載する前の段階で車載ナビゲータ装置１０に保護カバー３０を装着する。
先ず、保護パネル３４の突起部４１のパネル面に両面テープ４２を貼り、次いでマジックテープの対の一方４４を貼着する。一方、突起部４１に対応するディスプレイパネル１２の領域に両面テープ４６を貼り、次いでマジックテープの対の他方４８を貼着する。
次いで、４個の位置決め突起片５０をそれぞれ対応する取り付けバネ解除穴２６に挿入して位置決めし、続いて保護カバー３０を車載ナビゲータ装置１０に接近させ、マジックテープの対の一方４４とマジックテープの対の他方４８とを接触させて、押圧する。これにより、保護カバー３０とディスプレイパネル１２とは接着手段３６により固定され、かつ保護カバー３０は接触手段４０によりクッション材５６を介してディスプレイパネル１２に接触している。
【００１４】
以上の接着手段３６及び接触手段４０の構成により、剛体の保護パネル３４は、ディスプレイパネル１２を傷つけることなく、ディスプレイパネル１２に接触し、保護することができる。
また、接着手段３６及び接触手段４０の緩衝作用により、保護カバー３０は、汎用性を有し、保護パネル３４の形状が一種類であっても、曲面の形状が異なる種々のディスプレイパネル１２にそのままで装着することができる。
【００１５】
【発明の効果】
本発明によれば、レーム状の補強骨組を表面に備えた保護パネルと、それぞれ、保護パネルの裏面に設けられた、ディスプレイパネルに対して保護カバーを位置決めする位置決め手段、ディスプレイパネルに接着して保護カバーを固定する接着手段、及び、クッション部材を端面に有して、クッション部材をの緩衝作用の下でディスプレイパネルと接触する接触手段とを保護カバーに備えていることにより、輸送中の損傷及び自動車等の被搭載体の組み立て中の機械的外力による損傷から、自動車等の被搭載体に搭載した車載ディスプレイ装置の前面ディスプレイパネルを保護する保護カバーを実現している。
また、本発明に係る保護カバーは、接触手段及び接着手段の緩衝作用により、自動車の車種の違いで多種類あるディスプレイパネルに対しても共通の保護カバーとして機能することができる。
【図面の簡単な説明】
【図１】車載ナビゲータ装置に取り付けた状態での保護カバーの部分破断前面図である。
【図２】車載ナビゲータ装置に取り付けた状態での保護カバーの上面図である。
【図３】車載ナビゲータ装置に取り付けた状態での保護カバーの側面断面図である。
【図４】接着手段の層構造を示す断面図である。
【図５】車載ナビゲータ装置の前面図である。
【図６】車載ナビゲータ装置の上面図である。
【図７】車載ナビゲータ装置の側面図である。
【符号の説明】
１０……車載ナビゲータ装置、１２……ディスプレイパネル、１４……選択ボタン、１６……マークボタン、２０……音量つまみ、２２……決定つまみ、２４……取り付け突起片、２６……取り付けバネ解除穴、３０……実施形態例の保護カバー、３２……フレーム状の補強骨組、３４……保護パネル、３６……接着手段、３８……位置決め手段、４０……接触手段、４１……突起部、４２……両面テープ、４４……マジックテープの対の一方、４６……両面テープ、４８……マジックテープの対の他方、５０……位置決め突起片、５２……切り欠き、５４……接触部、５６……クッション材。
【図１】
0004003280.tif 000002
【図２】
0004003280.tif 000003
【図３】
0004003280.tif 000004
【図４】
0004003280.tif 000005
【図５】
0004003280.tif 000006
【図６】
0004003280.tif 000007
【図７】
0004003280.tif 000008